【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
標本から観察像までの光路において、最も標本側に位置する第１対物レンズと、
前記第１対物レンズの像側に配置された反射用ミラーと、
前記反射用ミラーの像側に配置され標本に共役な中間像を形成する第２対物レンズを有し、
前記反射用ミラーは、標本から光の反射方向を任意の方向に変えるように回転可能であることを特徴とする顕微鏡の光学系。
【請求項２】
前記顕微鏡の光学系は、観察像側に結像レンズを有し、
前記反射用ミラーと前記結像レンズとの間に、前記観察像の倍率を切り替える変倍光学系を有することを特徴とする請求項１に記載の顕微鏡の光学系。
【請求項３】
前記顕微鏡の光学系における前記反射用ミラーは、ハーフミラー又はダイクロイックミラーであり、前記反射用ミラーを透過した標本からの光を結像する接眼レンズを有することを特徴とする請求項１または２に記載の顕微鏡の光学系。
【請求項４】
前記反射用ミラーで反射した標本からの光を受光する撮像装置に、該標本からの光を結像する結像レンズを備えたことを特徴とする請求項３に記載の顕微鏡の光学系。
【請求項５】
前記顕微鏡の光学系は、標本に対する観察視野の位置と、前記反射用ミラーの回転量との対応関係を示す情報を有すると共に、前記情報に基づいて前記反射用ミラーを駆動させる制御部を備えていることを特徴とする請求項１から４のいずれか１項に記載の顕微鏡の光学系。
【請求項６】
請求項１から請求項５のいずれか１項に記載の顕微鏡の光学系を備えていることを特徴とする顕微鏡。
【請求項７】
標本を載置するステージと、
蛍光励起用光源と、
前記蛍光励起用光源からの励起光を標本方向へ反射し標本からの蛍光を透過する蛍光観察用ミラーを有する励起光照明光学系と、
標本から観察像までの光路において、最も標本側に位置する第１対物レンズと、
前記第１対物レンズの像側に配置され前記蛍光観察用ミラーを透過した蛍光を受光する反射用ミラーと、
前記反射用ミラーの像側に配置され標本に共役な中間像を形成する第２対物レンズを有し、
前記反射用ミラーは、標本から光の反射方向を任意の方向に変えるように回転可能である光学系を有することを特徴とする顕微鏡。
【請求項８】
標本から観察像までの光路において、最も標本側に位置する第１対物レンズと、
前記第１対物レンズの像側に配置された反射用ミラーと、
前記反射用ミラーの像側に配置され標本に共役な中間像を形成する第２対物レンズを有し、
前記反射用ミラーは、標本から光の反射方向を任意の方向に変えるように回転可能な光学系を備え、
前記反射ミラーの回転により変更される標本に対する観察視野の位置と、設置されるマイクロマニピュレータの移動との対応関係を示す情報を有し、前記情報に基づいて前記観察視野の移動に伴い前記反射用ミラー駆動を連動させる制御部を有することを特徴とする顕微鏡システム。
【請求項９】
請求項６又は７に記載の顕微鏡と、
前記顕微鏡において前記反射用ミラーを駆動させる動作と、前記観察像を撮像して画像データを生成する動作とを繰り返し行う画像データ生成部と、
生成された複数の前記画像データを合成して、標本のバーチャルスライドを作成する画像合成部とを備えていることを特徴とするバーチャルスライド作成システム。
【請求項１０】
請求項６又は７に記載の顕微鏡と、
前記顕微鏡において前記レンズを光軸に対して垂直な方向に移動させる動作と、前記観察像を撮像して画像データを生成する動作とを繰り返し行う画像データ生成部と、
生成された複数の前記画像データを合成して、標本のバーチャルスライドを作成する画像合成部とを備えていることを特徴とするバーチャルスライド作成システム。
【請求項１１】
前記バーチャルスライド作成システムは、生成された各画像データを合成し、標本のバーチャルスライド画像を作成する際、取得された画像データ間の向きを揃えるために、取得された画像の回転量が補正されるように各画像を取得する際の前記反射用ミラーの回転量の補正をするための補正量を予め定めたテーブルデータを備えることを特徴とする請求項９又は１０に記載のバーチャルスライド作成システム。
【手続補正２】
【補正対象書類名】明細書
【補正対象項目名】発明の名称
【補正方法】変更
【補正の内容】
【発明の名称】顕微鏡の光学系、顕微鏡、顕微鏡システム及びバーチャルスライド作成システム
【手続補正３】
【補正対象書類名】明細書
【補正対象項目名】０００７
【補正方法】変更
【補正の内容】
【０００７】
第１の発明における顕微鏡の光学系は、標本から観察像までの光路において、最も標本側に位置する第１対物レンズと、前記第１対物レンズの像側に配置された反射用ミラーと、前記反射用ミラーの像側に配置され標本に共役な中間像を形成する第２対物レンズを有し、前記反射用ミラーは、標本から光の反射方向を任意の方向に変えるように回転可能であることを特徴とする。
第２の発明は、第１の発明において、前記顕微鏡の光学系は、観察像側に結像レンズを有し、前記反射用ミラーと前記結像レンズの間に、前記観察像の倍率を切り替える変倍光学系を有することを特徴とする。
【手続補正４】
【補正対象書類名】明細書
【補正対象項目名】０００８
【補正方法】変更
【補正の内容】
【０００８】
第３の発明は、第１又は第２の発明において、前記顕微鏡光学における前記反射用ミラーは、ハーフミラー又はダイクロイックミラーであり、前記反射用ミラーを透過した標本からの光を結像する接眼レンズを有することを特徴とする。
第４の発明は、第３の発明において、前記反射用ミラーで反射した標本からの光を受光する撮像装置に、該標本からの光を結像する結像レンズを備えたことを特徴とする。
【手続補正５】
【補正対象書類名】明細書
【補正対象項目名】０００９
【補正方法】変更
【補正の内容】
【０００９】
第５の発明は、第１から第４のいずれかの発明において、前記顕微鏡の光学系は、標本に対する観察視野の位置と、前記反射用ミラーの回転量との対応関係を示す情報を有すると共に、前記情報に基づいて前記反射用ミラーを駆動させる制御部を備えていることを特徴とする。
第６の発明における顕微鏡は、第１から第５のいずれかの発明における顕微鏡の光学系を備えていることを特徴とする。
【手続補正６】
【補正対象書類名】明細書
【補正対象項目名】００１０
【補正方法】変更
【補正の内容】
【００１０】
第７の発明における顕微鏡は、標本を載置するステージと、蛍光励起用光源と、前記蛍光励起用光源からの励起光を標本方向へ反射し標本からの蛍光を透過する蛍光観察用ミラーを有する励起光照明光学系と、最も標本側に位置する第１対物レンズと、前記第１対物レンズの像側に配置され前記蛍光観察用ミラーを透過した蛍光を受光する反射用ミラーと、前記反射用ミラーの像側に配置され標本に共役な中間像を形成する第２対物レンズを有し、前記反射用ミラーは、標本から光の反射方向を任意の方向に変えるように回転可能である光学系を有することを特徴とする。
第８の発明における顕微鏡システムは、最も標本側に位置する第１対物レンズと、前記第１対物レンズの像側に配置された反射用ミラーと、前記反射用ミラーの像側に配置され標本に共役な中間像を形成する第２対物レンズを有し、前記反射用ミラーは、標本から光の反射方向を任意の方向に変えるように回転可能な光学系を備え、前記反射ミラーの回転により変更される標本に対する観察視野の位置と、設置されるマイクロマニピュレータの移動との対応関係を示す情報を有し、前記情報に基づいて前記観察視野の移動に伴い前記反射用ミラー駆動を連動させる制御部を有することを特徴とする。
【手続補正７】
【補正対象書類名】明細書
【補正対象項目名】００１１
【補正方法】変更
【補正の内容】
【００１１】
第９の発明におけるバーチャルスライド作成システムは、第６又は第７の発明における顕微鏡と、前記顕微鏡において前記反射用ミラーを駆動させる動作と、前記観察像を撮像して画像データを生成する動作とを繰り返し行う画像データ生成部と、生成された複数の前記画像データを合成して、標本のバーチャルスライドを作成する画像合成部とを備えていることを特徴とする。
第１０の発明におけるバーチャルスライド作成システムは、第６又は第７の発明における顕微鏡と、前記顕微鏡において前記レンズを光軸に対して垂直な方向に移動させる動作と、前記観察像を撮像して画像データを生成する動作とを繰り返し行う画像データ生成部と、生成された複数の前記画像データを合成して、標本のバーチャルスライドを作成する画像合成部とを備えていることを特徴とするバーチャルスライド作成システムである。
第１１の発明は、第９又は第１０の発明において、前記バーチャルスライド作成システムは、生成された各画像データを合成し、標本のバーチャルスライド画像を作成する際、取得された画像データ間の向きを揃えるために、取得された画像の回転量が補正されるように各画像を取得する際の前記反射用ミラーの回転量の補正をするための補正量を予め定めたテーブルデータを備えることを特徴とする。
【手続補正８】
【補正対象書類名】明細書
【補正対象項目名】００４１
【補正方法】変更
【補正の内容】
【００４１】
＜第２の実施形態＞
図６は、本発明の第２の実施形態における顕微鏡システムの概略構成図である。図に示すように、本実施形態の顕微鏡システム８０は、第１の実施形態の顕微鏡システム１０の構成要素に加えて、マニピュレータコントローラ８４と、マイクロマニピュレータ８６とを有している。第２の実施形態と第１の実施形態との違いは、観察視野の移動と、マイクロマニピュレータ８６の移動とを連動させることである。ここでの連動とは、例えば、観察視野が右に移動したら、マイクロマニピュレータ８６の電極針も右に移動させることである。
【手続補正９】
【補正対象書類名】明細書
【補正対象項目名】００４５
【補正方法】変更
【補正の内容】
【００４５】
＜第３の実施形態＞
図７は、本発明の第３の実施形態における顕微鏡システムの概略構成図である。図に示すように、顕微鏡システム１００は、観察モニタ２０と、コンピュータ１８と、ケーブル２６，１０８と、マニピュレータコントローラ８４と、μマニピュレータ８６と、本実施形態の顕微鏡１１０とを有している。
【手続補正１０】
【補正対象書類名】明細書
【補正対象項目名】００５６
【補正方法】変更
【補正の内容】
【００５６】
＜第４の実施形態＞
図１１は、本発明の第４の実施明帯における顕微鏡システム１６０（請求項記載のバーチャルスライド作成システムに対応）の概略構成図である。図に示すように、顕微鏡システム１６０は、観察モニタ２０と、コンピュータ１８と、ケーブル２６，１７０と、ミラー傾きコントローラ１６と、本実施形態の顕微鏡１７４とを有している。
【手続補正１１】
【補正対象書類名】明細書
【補正対象項目名】００６４
【補正方法】変更
【補正の内容】
【００６４】
なお、第４実施形態では、第１の実施形態の顕微鏡１２に大型ステージ１８０、ステージ移動機構１８４等を追加して、回転ミラー２８の回転により、像が示す標本領域を移動する例を述べた。本発明は、かかる実施形態に限定されるものではない。第３の実施形態の顕微鏡１１０に大型ステージ１８０、ステージ移動機構１８４等を追加して、移動型光学系１２０の移動により同様の操作を行ってもよい。また、像が示す標本領域の移動及び撮像は、偏倍光学系３６が低倍率に設定された状態において行ってもよい。その場合、作成されるバーチャルスライドの解像度は下がる。